(57)【要約】【課題】  少ない部品点数で非接続状態のコネクタをゴミや埃から保護する。【解決手段】  ディスプレイ３０が筐体１２側に向いた状態で、可動式ディスプレイ部材２０が凹部１２Ａに収納されると、板面部２４Ａ、長端面部２６Ａ、及び短端面部２８Ａが筐体１２により覆われて、板面部２４Ｂ、長端面部２６Ｂ、及び短端面部２８Ｂが外側に露出される。このとき、長端面部２６Ａに設けられた、充電用コネクタ３２、及びＵＳＢ端子３４も筐体１２により覆われる。一方、ディスプレイ３０が外側に向いた状態で、可動式ディスプレイ部材２０が凹部１２Ａに収納されると、板面部２４Ｂ、長端面部２６Ｂ、及び短端面部２８Ａが筐体１２により覆われて、板面部２４Ａ、長端面部２６Ａ、及び短端面部２８Ｂが外側に露出される。【選択図】  図１
2005124024.tif 000002
【特許請求の範囲】
【請求項１】
筐体と、
前記筐体に設けられ、画像を表示する表示面を有する移動ディスプレイ部材と、
前記移動ディスプレイ部材に設けられたコネクタと、
を備え、
前記移動ディスプレイ部材は前記コネクタが前記筐体に覆われる被覆位置と他の接続部材と接続可能に露出される露出位置との間を移動可能とされていることを特徴とする表示装置。
【請求項２】
前記移動ディスプレイ部材は、前記表示面が前記筐体側に向いた状態でこの筐体に沿った位置に収納される表示面内側収納と、前記表示面が前記筐体の外側に向いた状態で前記筐体に沿った位置に収納される表示面外側収納と、が可能とされ、
前記表示面外側収納のときに前記露出位置とされていることを特徴とする請求項１に記載の表示装置。
【請求項３】
前記筐体及び前記移動ディスプレイ部材の少なくとも一方はクレードルによって保持可能とされ、
前記クレードルに保持された状態でこのクレードルの対応する接続部と接続可能な位置に前記コネクタが配置されていることを特徴とする請求項１または請求項２に記載の表示装置。
【請求項４】
前記表示面に前記クレードルとの間での動作内容を表示する動作内容表示手段をさらに備えたことを特徴とする請求項３に記載の表示装置。
【請求項５】
前記表示面に前記クレードルとの間における動作を入力可能とするタッチボタンを表示するタッチボタン表示手段と、
前記タッチボタンへの接触を検知する検知手段と、
をさらに備えたことを特徴とする請求項３または請求項４に記載の表示装置。
【請求項６】
請求項１乃至請求項５のいずれか１項に記載の表示装置を備えた撮像装置。
【発明の詳細な説明】
【技術分野】
【０００１】
本発明は表示装置及び撮像装置に関する。
【背景技術】
【０００２】
一般的に、撮像装置や携帯電話等の電子機器には、コネクタ自体をゴミや埃から保護するためにコネクタ用のカバーが設けられている。このコネクタ用のカバーは、筐体とは別部材として設けられるので、部品点数が増加してしまうという問題があった。
【０００３】
ところで、画像等を表示するディスプレイが電子機器などの本体との間で相対移動可動なディスプレイが提案されている。例えば、特許文献１には、回転軸周りに３６０°回転可能なディスプレイが提案されており、このディスプレイにコネクタが備えられている。しかしながら、特許文献１に開示されているコネクタは他の接続部材と常時接続可能な位置に配置されており、非接続状態のときにはゴミや埃からこのコネクタを保護するためには、コネクタ用のカバーが必要である。
【特許文献１】特開２００２−１２３１９４号公報
【発明の開示】
【発明が解決しようとする課題】
【０００４】
本発明は上記事実を考慮し、少ない部品点数で非接続状態のコネクタをゴミや埃から保護することの可能な表示装置及び撮像装置を提供することを目的とする。
【課題を解決するための手段】
【０００５】
上記課題を解決するため、請求項１に記載の表示装置は、筐体と、前記筐体に設けられ、画像を表示する表示面を有する移動ディスプレイ部材と、前記移動ディスプレイ部材に設けられたコネクタと、  を備え、前記移動ディスプレイ部材は前記コネクタが前記筐体に覆われる被覆位置と他の接続部材と接続可能に露出される露出位置との間を移動可能とされていることを特徴とする。
【０００６】
本発明の表示装置では、コネクタが移動ディスプレ部材に設けられている。そして、移動ディスプレイ部材が被覆位置に配置されているときには、コネクタが筐体に覆われてゴミや埃から保護されている。一方、移動ディスプレイ部材が露出位置に配置されているときには、コネクタが露出されて他の接続部材と接続可能になる。したがって、この構成によれば、筐体によってコネクタが覆われるため、コネクタを覆うための専用のカバーが不要であり、少ない部品点数で非接続状態のコネクタをゴミや埃から保護することができる。
【０００７】
なお、本発明の表示装置の移動ディスプレイ部材は、請求項２に記載のように、前記表示面が前記筐体側に向いた状態でこの筐体に沿った位置に収納される表示面内側収納と、前記表示面が前記筐体の外側に向いた状態で前記筐体に沿った位置に収納される表示面外側収納と、が可能とされ、前記表示面外側収納のときに前記露出位置とされていることを特徴とすることができる。
【０００８】
上記構成によれば、移動ディスプレイ部材は筐体に沿った位置に収納可能とされているので、表示装置全体をコンパクトにすることができる。また、移動ディスプレイ部材が表示面外側収納されたときに、コネクタが他の接続部材と接続可能に露出されているので、表示装置全体をコンパクトにした状態で他の接続部材との接続を行うことができる。
【０００９】
また、本発明の表示装置は、請求項３に記載のように、前記筐体及び前記移動ディスプレイ部材の少なくとも一方がクレードルによって保持可能とされ、前記クレードルに保持された状態でこのクレードルの対応する接続部と接続可能な位置に前記コネクタが配置されていることを特徴とすることもできる。
【００１０】
この構成によれば、筐体及び移動ディスプレイ部材の少なくとも一方をクレードルに保持させた状態で、移動ディスプレイ部材に設けられたコネクタをクレードルの対応する接続部と接続させることができる。すなわち、クレードルを用いて他の機器と接続することができて利便性が向上する。
【００１１】
また、本発明の表示装置は、請求項４に記載のように、前記表示面に前記クレードルとの間での動作内容を表示する動作内容表示手段をさらに備えたことを特徴とすることもできる。
【００１２】
この構成によれば、移動ディスプレイ部材の表示面にクレードルとの間での動作内容を表示することができ、表示面を外部から視認可能な位置に移動ディスプレイ部材が配置されているとき（例えば表示面外側収納位置など）に、ユーザーはクレードルとの間での動作内容を確認することができる。
【００１３】
また、本発明の表示装置は、請求項５に記載のように、前記表示面に前記クレードルとの間における動作を入力可能とするタッチボタンを表示するタッチボタン表示手段と、  前記タッチボタンへの接触を検知する検知手段と、をさらに備えたことを特徴とすることもできる。
【００１４】
この構成によれば、移動ディスプレイ部材の表示面にクレードルとの間の動作を入力可能なタッチボタンを表示することができ、表示されたタッチボタンに接触（タッチ）すると、この接触が検知される。したがって、この接触を契機としてクレードルとの間の動作指示を入力することができて利便性が向上する。
【００１５】
請求項６に記載の撮像装置は、請求項１乃至請求項５のいずれか１項に記載の表示装置を含んで構成されている。
【００１６】
本発明の撮像装置によれば、コネクタが移動ディスプレ部材に設けられ、移動ディスプレイ部材が被覆位置に配置されているときには、コネクタが筐体に覆われてゴミや埃から保護されている。一方、移動ディスプレイ部材が露出位置に配置されているときには、コネクタが露出されて他の接続部材と接続可能になる。したがって、コネクタを覆うための専用のカバーが不要であり、少ない部品点数で非接続状態のコネクタをゴミや埃から保護することができる。
【発明の効果】
【００１７】
本発明の表示装置及び撮像装置は上記構成としたので、少ない部品点数で非接続状態のコネクタをゴミや埃から保護することができる。
【発明を実施するための最良の形態】
【００１８】
以下、図面を参照して、本発明の実施形態について詳細に説明する。
【００１９】
図１に示すように、本発明の撮像装置としてのビデオカメラ１０は、筐体１２を備える。
筐体１２の前面には撮像用レンズユニット１４が設けられ、背面にはファインダ１６及び各種指示の入力ボタン１８が設けられている。
【００２０】
筐体１２の一側面には、可動式ディスプレイ部材２０を収納可能な凹部１２Ａが構成されている。図２にも示すように、可動式ディスプレイ部材２０は長方形板状とされており、互いに対向する板面部２４Ａ、２４Ｂ、長端面部２６Ａ、２６Ｂ、及び短端面部２８Ａ、２８Ｂにより外面が形成されている。
【００２１】
図１に示すように、可動式ディスプレイ部材２０は短端面部２８Ａがヒンジ部材２２を介して筐体１２に接続されており、上下方向（矢印Ｘで示す）及び左右方向（矢印Ｙで示す）に回転可能とされている。板面部２４Ａには、ディスプレイ３０が設けられている。ディスプレイ３０には、各種画像の他、図３に示すように、後述するクレードル８０との間での動作内容、及びクレードル８０との間における動作を入力可能なタッチボタンが表示可能とされている。長端面部２６Ａには、充電用コネクタ３２、及びＵＳＢ端子３４が設けられている。
【００２２】
ディスプレイ３０が筐体１２側に向いた状態で、可動式ディスプレイ部材２０が凹部１２Ａに収納されると（このときの可動式ディスプレイ部材２０の収納状態を「表示面内側収納Ｐ１」という）、板面部２４Ａ、長端面部２６Ａ、及び短端面部２８Ａが筐体１２により覆われて、板面部２４Ｂ、長端面部２６Ｂ、及び短端面部２８Ｂが外側に露出される。このとき、長端面部２６Ａに設けられた、充電用コネクタ３２、及びＵＳＢ端子３４も筐体１２により覆われる。一方、ディスプレイ３０が外側に向いた状態で、可動式ディスプレイ部材２０が凹部１２Ａに収納されると（このときの可動式ディスプレイ部材２０の収納状態を「表示面外側収納Ｐ２」という）、板面部２４Ｂ、長端面部２６Ｂ、及び短端面部２８Ａが筐体１２により覆われて、板面部２４Ａ、長端面部２６Ａ、及び短端面部２８Ｂが外側に露出される。このとき、長端面部２６Ａに設けられた、充電用コネクタ３２、及びＵＳＢ端子３４も外側に露出され、各々が対応する他の接続端子と接続可能となる。
【００２３】
図４には、ビデオカメラ１０の概略ブロック図が示されている。図４に示すように、ビデオカメラ１０には、レンズユニット１４を通過する光量を調整する絞り４２、光の通過時間を調整するシャッタ４４、及び、光を光電変換してアナログ画像信号を出力するＣＣＤ４６が備えられている。
【００２４】
ＣＣＤ４６はアナログ信号処理部４８と接続され、アナログ信号処理部４８はアナログ／デジタル変換器（以下、「Ａ／Ｄ変換器」という）５０と接続され、Ａ／Ｄ変換器５０はデジタル信号処理部５２と接続されている。アナログ信号処理部４８は、ＣＣＤ４６から入力された信号に対して所定のアナログ信号処理を施す。Ａ／Ｄ変換器５０は、アナログ信号処理部４８から入力されたアナログ信号をデジタル信号に変換してデジタル信号処理部５２へ出力する。デジタル信号処理部５２は、入力されたデジタル信号に対して各種の処理を行い、デジタル画像データを生成する。
【００２５】
また、ビデオカメラ１０には、ＣＰＵ６０、内部メモリ６２、ディスプレイ制御部６４、記録制御部６６、及び、タッチ検知センサ６７が備えられている。前述のデジタル信号処理部５２、ＣＰＵ６０、内部メモリ６２、ディスプレイ制御部６４、記録制御部６６、及びタッチ検知センサ６７は、バス６８を介して相互に接続されている。また、可動式ディスプレイ部材２０に設けられたＵＳＢ端子３４もバス６８に接続されている。
【００２６】
ＣＰＵ６０は各種のプログラムを実行するなどしてビデオカメラ１０全体の制御を行う。内部メモリ６２にはデジタル信号処理部５２で生成されたデジタル画像データを一時的に記憶可能とされている。記録制御部６６は外部メモリ７０と接続されており、外部メモリ７０へデジタル画像データを書き込む処理、及び、外部メモリ７０からデジタル画像データを読出す処理を実行可能とされている。ディスプレイ制御部６４はディスプレイ３０と接続されており、内部メモリ６２に記憶されたデジタル画像データを読み出し、ディスプレイ３０へ画像表示するのための処理を行う。タッチ検知センサ６７は、後述するタッチボタンへの接触の有無を検知する。
【００２７】
さらに、ビデオカメラ１０には、レンズユニット１４を駆動させるためのレンズ駆動部７２、絞り４２を駆動させるための絞り駆動部７４、シャッタ４４を駆動させるためのシャッタ駆動部７６、及び、ＣＣＤ４８に対する撮影時のタイミング制御を行うＣＣＤ制御部７８が備えられている。レンズ駆動部７２、絞り駆動部７４、シャッタ駆動部７６、及び、ＣＣＤ制御部７８は、ＣＰＵ６０と接続されている。
【００２８】
クレードル８０は、図５に示すように、クレードル筐体８２を備え、クレードル筐体８２の上側にはビデオカメラ１０を保持可能な保持空間８４が構成されている。保持空間８４は、側面の保持壁８５Ａ、８５Ｃ、背面の保持壁８５Ｂ、及び、底面の保持壁８５Ｄに囲まれて構成されている。保持壁８４Ｄには、充電用コネクタ３２に対応する接続端子８６、及び、ＵＳＢ端子３４に対応する接続端子８８が備えられている。図６に示すように、可動式ディスプレイ部材２０が表示面外側収納Ｐ２された状態で、ビデオカメラ１０が保持空間８４に収納されると、充電用コネクタ３２と接続端子８６が接続され、ＵＳＢ端子３４と接続端子８８が接続可される。
【００２９】
クレードル８０の側面には、接続端子８６と接続され一端部をＡＣ電源に差し込み可能な電源コード９０、及び、接続端子８８と接続されパーソナルコンピュータなどの外部機器のＵＳＢ端子と接続可能なＵＳＢケーブル９２が備えられている。
【００３０】
次に、本実施形態の作用について説明する。
【００３１】
可動式ディスプレイ部材２０をディスプレイ３０を筐体１２に沿った位置に配置して表示面内側収納Ｐ１すると、充電用コネクタ３２及びＵＳＢ端子３４は筐体に覆われる。これにより、充電用コネクタ３２及びＵＳＢ端子３４をゴミや埃から保護することができる。したがって、充電用コネクタ３２及びＵＳＢ端子３４を覆うための専用のカバーを設ける必要がなく、部品点数を少なくすることができる。
【００３２】
クレードル８０を使用してビデオカメラ１０に充電を行ったり、データ通信を行ったりする場合には、クレードル８０の電源コード９０を電源供給用コンセントに差し込み、ＵＳＢケーブル９２をデータ通信を行いたい外部機器、ここではパーソナルコンピュータに接続する。そして、ビデオカメラ１０の可動式ディスプレイ部材２０を、Ｘ方向の筐体１２から離れる方向へ回転させ、次にＹ方向へ１８０°回転させる。そして、Ｘ方向の筐体１２と近づく方向へ回転させて、ディスプレイ３０を外側に向けた状態での表示面外側収納Ｐ２する。このとき、充電用コネクタ３２及びＵＳＢ端子３４は外側に露出されている。この状態で、図５に示すように、ビデオカメラ１０をクレードル８０の保持空間８４に上方から挿入すると、充電用コネクタ３２と接続端子８６とが接続され、ＵＳＢ端子３４と接続端子８８とが接続される。充電用コネクタ３２と接続端子８６との接続が行われると、クレードル８０を介してビデオカメラ１０へに充電が開始されると共に、図示しない充電接続検知センサからＣＰＵ６０へ充電開始の情報が送信され、ＣＰＵ６０では、図７に示す充電処理が行われる。
【００３３】
ステップＳ１０で、図８（Ａ）に示すように、ディスプレイ３０に「充電スタート」の表示が行われ、ステップＳ１２で図示しない内部バッテリの充電状況が確認される。そして、ステップＳ１４で確認した充電状況を表示する。この表示は図８（Ｂ）に示すように充電完了までの時間で表示される。ステップＳ１６で１分経過したかどうかを判断し、判断が肯定された場合には、ステップＳ１８で充電完了までの時間を１分減らして表示を更新する。ステップＳ２０で充電完了までの時間表示が残り１分かどうかを判断し、判断が否定された場合にはステップＳ１６へ戻って前記処理を繰り返す。判断が肯定された場合には、ステップＳ２２で充電状態を再度確認し、ステップＳ２４で充電が完了するまで待機する。充電が完了されると、ステップＳ２６で図８（Ｃ）に示すように、「充電完了」の表示が行われて本処理を終了する。
【００３４】
本処理によれば、外側に向いたディスプレイ３０に充電状態が表示されるので、ユーザーは充電状態を確認することができ利便性が向上する。
【００３５】
また、ＵＳＢ端子３４と接続端子８８との接続が行われると、図示しないＵＳＢ接続検知センサからＣＰＵ６０へＵＳＢ端子３４接続の情報が送信され、ＣＰＵ６０では、図９に示すタッチボタン化処理が行われる。
【００３６】
まず、ステップＳ３０で図１０に示すタッチボタン表示が行われる。本実施形態では、外部メモリ７０に記録されているデジタル画像データを図示しないパーソナルコンピュータのディスプレイに再生表示するための「再生」ボタン、再生されている画像を早送りするための「早送り」ボタン、再生されている画像を巻き戻すための「巻き戻し」ボタン、デジタル画像データを転送してパーソナルコンピュータへ記録するための「転送記録」ボタン、が表示されている。ステップＳ３２で、表示されたタッチボタンへの接触があるまで待機する。接触があると、タッチ検出センサ６７により接触が検知され、接触のあったタッチボタンの種別及び接触が合った旨の情報がＣＰＵ６０へ出力される。この情報の入力があると、ステップＳ３４でタッチボタンに応じた動作指示を行って、ステップＳ３２へ戻る。
【００３７】
本処理によれば、外側に向いたディスプレイ３０にクレードル８０を介した動作を指示するためのタッチボタンが表示されるので、ユーザーはこのタッチボタンを用いて動作指示することができ、利便性が向上する。
【００３８】
なお、本実施形態では、撮像装置としてビデオカメラを例に説明したが、撮像装置としては他にデジタルスチルカメラ、銀塩カメラ、カメラ付携帯電話などを挙げることができ、これらに本発明を適用することもできる。
【図面の簡単な説明】
【００３９】
【図１】本実施形態のビデオカメラの斜視図である。
【図２】本実施形態の可動式ディスプレイ部材の斜視図である。
【図３】本実施形態でのディスプレイへの充電状態及びタッチボタンの表示例である。
【図４】本実施形態のビデオカメラの概略ブロック図である。
【図５】本実施形態のビデオカメラとクレードルの斜視図である。
【図６】本実施形態のビデオカメラがクレードルに保持されている状態を示す斜視図である。
【図７】本実施形態の充電処理のフローチャートである。
【図８】本実施形態の充電状態の表示例を示す図である。
【図９】本実施形態のタッチボタン用処理のフローチャートである。
【図１０】本実施形態のタッチボタンの表示例を示す図である。
【符号の説明】
【００４０】
１０  ビデオカメラ（撮像装置）
１２  筐体
２０  可動式ディスプレイ部材（移動ディスプレイ部材）
３０  ディスプレイ（表示面）
３２  充電用コネクタ（コネクタ）
３４  ＵＳＢ端子（コネクタ）
６７  タッチ検出センサ（検知手段）
８０  クレードル
Ｐ１  表示面内側収納
Ｐ２  表示面外側収納
【図１】
2005124024.tif 000003
【図２】
2005124024.tif 000004
【図３】
2005124024.tif 000005
【図４】
2005124024.tif 000006
【図５】
2005124024.tif 000007
【図６】
2005124024.tif 000008
【図７】
2005124024.tif 000009
【図８】
2005124024.tif 000010
【図９】
2005124024.tif 000011
【図１０】
2005124024.tif 000012